(57)【要約】【課題】電気柵の裸電線の下方の草の成長を抑えて草刈に要する時間を大幅に削減し、しかも猪などの害獣に有効に衝撃電流を与えることができる電気柵用防草シートを提供する。【解決手段】化学繊維を織って作られた防草シートに亀甲金網を取り付けて電気柵用防草シートを形成し、電気柵の裸電線の下方の地面にこの電気柵用防草シートを亀甲金網の面を上側にして敷設する。そして亀甲金網と地面との電気的導通を得るために、電気柵用防草シートを固定金具で地面に固定するか、亀甲金網の一部が直接地面に接する構造とする。こうすることにより防草シートによって電気柵の裸電線の下方の草の成長を抑えて草刈に要する時間を大幅に削減でき、かつ亀甲金網と地面との電気的導通が確保できるので、亀甲金網の上に立った猪などの害獣が電気柵の裸電線に触れると害獣に有効に衝撃電流を与えることができる。【選択図】図４
2014090717.tif 000002
【特許請求の範囲】
【請求項１】
田畑の周囲に裸電線を張設しこの裸電線に衝撃高圧を印加して、侵入しようとする鹿や猪を感電させることによって撃退する電気柵において、その裸電線の下方の地面に敷設する電気柵用防草シートであって、化学繊維を織って作られた防草シートと、その防草シートの幅と同じ幅を有する亀甲金網を、両者の端を一致させるようにして、ホッチキスやハトメのような止め具により両者が離反せぬように接合した構造を特徴とする電気柵用防草シート
【請求項２】
防草シートよりも亀甲金網の幅を２０ｃｍ〜４０ｃｍ広くして、両者の幅方向の中心線が一致するようにホッチキスやハトメのような止め具により両者が離反せぬように接合し、亀甲金網の端が防草シートの両端より１０ｃｍ〜２０ｃｍはみ出した構造とした電気柵用防草シート
【請求項３】
請求項２の電気柵用防草シートにおいて、防草シートの両端から１０ｃｍ〜２０ｃｍはみ出した亀甲金網を、防草シートの両端で折り曲げて亀甲金網で防草シートを挟み込む構造とした電気柵用防草シート
【発明の詳細な説明】
【発明の詳細な説明】
【技術分野】
【０００１】本発明は、猪や鹿の田畑への侵入を防止するために設置される電気柵の裸電線の下方における草の成長を抑えるために、電気柵の裸電線の下方の地面に敷設する電気柵用防草シートに関するものである。
【背景技術】
【０００２】近年山間地域の田畑において猪や鹿の侵入による被害が多発しているため、田畑の作物の周囲に電気柵を設置することが行なわれている。電気柵とは田畑の周囲に裸電線を張設し、その裸電線に衝撃高圧を印加して、侵入しようとする猪や鹿を感電させることによって撃退するものである。【０００３】この電気柵は図１に示すように、田畑の周囲に打設された絶縁物の支柱２に金具１により支持された裸電線３を張設し、その裸電線３に衝撃高圧発生装置５より発生する６，０００Ｖ〜７，０００Ｖの衝撃高圧を印加するものである。【０００４】猪６が田畑に侵入しようとしてこの張設された裸電線３に触れると、図１の矢印のように、つまり  衝撃高圧発生装置５→裸電線３→猪６→地面４→アース棒７→衝撃高圧発生装置５  のルートで衝撃電流が流れて猪６は感電する。【０００５】しかしながら裸電線３の下の地面４に草８が生えて成長し裸電線３に接触すると、草８を通じて漏れ電流が流れるために裸電線３にかかる衝撃電圧が減少するので、猪６に有効に衝撃電流を流せなくなる。それを防ぐためには裸電線３の下方の草８を刈り取る作業が必要となるが、地面４と裸電線３の距離は２０ｃｍ程度なので夏のように草の成長が速い季節には２週間毎に草刈をしなければならない。【０００６】裸電線３の下方の地面４に草が生えることを防止するのに有効な手段は、図２のように地面４に防草シート９を敷設することである。防草シートとは化学繊維を織って作られたシートであって、成長する草の芽が防草シートを通過し難いことと日光を遮断して草が光合成を行うことを妨害することによって草の成長を抑えることができる。【０００７】しかしながらこの防草シート９は化学繊維を織って作られているので、それ自体が電気的絶縁物である。図２のように猪６が防草シート９の上に乗ってしまうと猪６は地面４から絶縁されるので、猪６が裸電線３に触れても裸電線３から地面４に向かって衝撃電流が流れないので猪６は感電しなくなり、電気柵本来の目的が果たせなくなってしまう。
【発明の開示】
【発明が解決しようとする課題】
【０００８】そこで本発明が解決しようとする課題は、猪や鹿などの害獣の田畑への侵入を防止する目的の電気柵において、裸電線の下方の草の成長を抑制して草刈に要する労力を大幅に削減でき、しかも衝撃電圧発生器より発生した衝撃電流が害獣の体内を通り効果的に地中に流れ込んで害獣に衝撃を与えられる電気柵用防草シートを提供することにある。
【課題を解決するための手段】
【０００９】上記の課題を解決するために本発明では、化学繊維を織って作られた防草シートに亀甲金網を取り付けて電気柵用防草シートを形成し、電気柵の裸電線の下方の地面にこの電気柵用防草シートを亀甲金網の面を上側にして敷設することにした。そして亀甲金網と地面との電気的導通を得るために、電気柵用防草シートを固定金具で地面に固定するか、亀甲金網の一部が直接地面に接する構造とした。【００１０】化学繊維を織って作られた防草シートに亀甲金網を取り付けた電気柵用防草シートの構造としては、以下の３種類が考えられる。まず図３−１の断面図のように化学繊維を織って作られた防草シート９と、その防草シート９の幅と同じ幅を有する亀甲金網１０を、両者の端を一致させるようにして、ホッチキスやハトメのような止め具１１により両者が離反せぬように接合した構造の電気柵用防草シートである。これを以後「同幅型電気柵用防草シート」と呼ぶことにする【００１１】次は図３−２の断面図のように、防草シート９よりも亀甲金網１０の幅を２０ｃｍ〜４０ｃｍ広くして、両者の幅方向の中心線が一致するようにホッチキスやハトメのような止め具１１により両者が離反せぬように接合し、亀甲金網１０の端が防草シート９の両端より１０ｃｍ〜２０ｃｍはみ出した構造とした電気柵用防草シートである。これを以後「はみ出し型電気柵用防草シート」と呼ぶことにする。【００１２】最後は図３−３の断面図のように、はみ出し型電気柵用防草シートに於いて防草シート９の両端から１０ｃｍ〜２０ｃｍはみ出した亀甲金網１０を、防草シート９の両端で折り曲げて亀甲金網１０で防草シート９を挟み込む構造とした電気柵用防草シートである。これを以後「折り曲げ型電気柵用防草シート」と呼ぶことにする。
【発明を実施するための形態】
【００１３】以下に図面に示す実施例に基づき本発明の実施の形態を説明する。
図４の断面図は、同幅型電気柵用防草シートを電気柵の裸電線３の下方の地面４に敷設した場合の実施例である。同幅型電気柵用防草シートは、固定金具１２によって地面４に固定される。固定金具１２は地面４に突き刺さっていながら亀甲金網１０に接触しているので、この固定金具１２を通じて亀甲金網１０と地面４との電気的導通が得られる。したがって亀甲金網１０の上に立っている猪６が裸電線３に触れると、裸電線３から地面４に向かって衝撃電流が流れるので猪６は感電する。
一例として防草シート９の幅は６０ｃｍ、亀甲金網１０は線径０．４ｍｍ〜１ｍｍの亜鉛引き鉄線で作られていて網目の大きさは１ｃｍが適当である。
【００１４】図４の同幅型電気柵用防草シートの実施例において、電気柵用防草シートを敷設した直後は亀甲金網１０と固定金具１２の接触状態は良好に保たれるが、経年変化により亀甲金網１０と固定金具１２の間に隙間ができて良好な接触が維持できなくなる。亀甲金網１０と固定金具１２の間に隙間ができた場合に、亀甲金網１０の上に立っている猪６が裸電線３に触れると、猪６と亀甲金網１０の対地電位は裸電線３と同じ６，０００Ｖ〜７，０００Ｖになる。したがってこの６，０００Ｖ〜７，０００Ｖの衝撃電圧が、亀甲金網１０と固定金具１２との隙間にかかることになる。空気の絶縁破壊電圧は１ｍｍの距離につき約３，０００Ｖなので、亀甲金網１０と固定金具１２との隙間が概ね２ｍｍ以内であれば、亀甲金網１０と固定金具１２との隙間の空気が衝撃電圧によって絶縁破壊を起こすのでこの隙間に電流が流れて猪６は感電してしまう。つまり同幅型電気柵用防草シートを敷設した場合、経年変化により亀甲金網１０と固定金具１２の間に隙間ができて良好な接触が維持できなくなっても、その隙間が概ね２ｍｍ以内の箇所が１箇所でもあれば猪６は感電してしまうので電気柵の機能を損なうことは無い。
【００１５】図５の断面図は、はみ出し型電気柵用防草シートを電気柵の裸電線３の下方の地面４に敷設した場合の実施例である。同幅型電気柵用防草シートと同様に固定金具１２を通じて亀甲金網１０と地面４との電気的導通が得られるが、防草シート９の両端から１０ｃｍ〜２０ｃｍはみ出した部分の亀甲金網１０が直接地面４に接触するので、亀甲金網１０と地面４との電気的導通が更に良好となる。また防草シート９の両端から１０ｃｍ〜２０ｃｍはみ出した部分の亀甲金網１０が直接地面４に接触しているので、固定金具１２の替わりにプラスチック製の固定具を使うこともできる。
【００１６】図６の断面図は、折り曲げ型電気柵用防草シートを電気柵の裸電線３の下方の地面４に敷設した場合の実施例である。同幅型電気柵用防草シートと同様に固定金具１２を通じて亀甲金網１０と地面４の電気的導通が得られるが、防草シート９の両端から防草シート９を挟み込むように折り曲げた１０ｃｍ〜２０ｃｍ幅の亀甲金網１０が直接地面４に接触するので、亀甲金網１０と地面４との電気的導通が更に良好となる。また折り曲げた１０ｃｍ〜２０ｃｍ幅の亀甲金網１０が直接地面４に接触しているので、固定金具１２の替わりにプラスチック製の固定具を使うこともできる。
【発明の効果】
【００１７】本発明の防草シートと亀甲金網を組み合わせた電気柵用防草シートを、電気柵の裸電線の下方の地面に亀甲金網の面を上側にして敷設すれば、防草シートにより草の成長は抑えられるので草刈の労力を大幅に削減できる。また電気柵用防草シートを地面に固定する固定金具や、直接地面に接する亀甲金網によって亀甲金網と地面との電気的導通が維持されるので、亀甲金網の上に立った猪などの害獣が電気柵の裸電線に触れると害獣に有効に衝撃電流を与えることができる。
【図面の簡単な説明】
【００１８】
【図１】猪や鹿用の電気柵の側面図である。
【図２】防草シートを敷設した場合の猪や鹿用の電気柵の側面図である。
【図３−１】同幅型電気柵用防草シートの断面図である。
【図３−２】はみ出し型電気柵用防草シートの断面図である。
【図３−３】折り曲げ型電気柵用防草シートの断面図である。
【図４】同幅型電気柵用防草シートの実施例の断面図である。
【図５】はみ出し型電気柵用防草シートの実施例の断面図である。
【図６】折り曲げ型電気柵用防草シートの実施例の断面図である。
【符号の説明】
【００１９】１  金具、２  絶縁物の支柱、３  裸電線、４  地面、５  衝撃高圧発生装置、６  猪、７  アース棒、８  草、９  防草シート、１０  亀甲金網、１１  止め具、１２  固定金具
【図１】
2014090717.tif 000003
【図２】
2014090717.tif 000004
【図３−１】
2014090717.tif 000005
【図３−２】
2014090717.tif 000006
【図３−３】
2014090717.tif 000007
【図４】
2014090717.tif 000008
【図５】
2014090717.tif 000009
【図６】
2014090717.tif 000010